(57)【要約】      （修正有）【課題】レコード盤においてユーザが所望の用途で利用可能な領域を大きくすることが可能な新規な構造を提供する。【解決手段】第１面Ｓ１および第２面を有するレコード盤１であって、第１面Ｓ１および第２面の一方のみに音溝Ｔが設けられている。【選択図】図１
0003219397.tif 000002
【実用新案登録請求の範囲】
【請求項１】
第１面および第２面を有するレコード盤であって、
前記第１面および前記第２面の一方のみに音溝が設けられていることを特徴とするレコード盤。
【請求項２】
前記第１面および前記第２面の他方は平坦面を形成していることを特徴とする請求項１記載のレコード盤。
【請求項３】
前記レコード盤は、塩化ビニルで構成され、
前記第１面および前記第２面の他方において、前記塩化ビニルが液滴を保持可能に処理されていることを特徴とする請求項１記載のレコード盤。
【請求項４】
前記レコード盤は、塩化ビニルで構成され、
前記第１面および前記第２面の他方において、前記塩化ビニルが印刷可能に処理されていることを特徴とする請求項１記載のレコード盤。
【請求項５】
前記第１面および前記第２面の他方には、その中央部から外周部にわたってレーベルが付されていることを特徴とする請求項１記載のレコード盤。
【考案の詳細な説明】
【技術分野】
【０００１】
本考案は、レコード盤に関する。
【背景技術】
【０００２】
レコード盤には、一般に、音溝と呼ばれる音楽再生用の溝が両面に設けられる（特許文献１参照）。
【先行技術文献】
【特許文献】
【０００３】
【特許文献１】特開２０１７−１２６３９１号公報
【考案の概要】
【考案が解決しようとする課題】
【０００４】
レコード盤において、ユーザ（主にレコード盤の所持者）が自由に利用可能な領域は比較的少ない。そのため、例えば、或る音楽家の音楽を再生可能なレコード盤に、その音楽家のサインを書いてもらいたい、というユーザの需要に応えることは難しい。また、例えば、ユーザが、レコード盤に、サインペン等を用いて自筆で情報を書き加えることや、シールを貼ること等の所望のデコレーションを加えることも難しい。
本考案の目的は、レコード盤においてユーザが所望の用途で利用可能な領域を大きくすることが可能な新規な構造を提供することにある。
【課題を解決するための手段】
【０００５】
本考案の一つの側面はレコード盤にかかり、前記レコード盤は、第１面および第２面を有するレコード盤であって、前記第１面および前記第２面の一方のみに音溝が設けられていることを特徴とする。
【考案の効果】
【０００６】
本考案によれば、音溝がレコード盤の一方の面のみに設けられているため、他方の面についてはユーザの所望の用途で利用可能となる。
【図面の簡単な説明】
【０００７】
【図１】本考案の一態様に係るレコード盤の一例を説明する模式図。
【図２】レコード盤の構造の幾つかの例を説明する断面模式図。
【図３】レコード盤の製造方法の例を説明する模式図。
【考案を実施するための形態】
【０００８】
以下、添付図面を参照しながら本考案の好適な実施形態について説明する。なお、各図は、構造ないし構成を説明する目的で記載されたものに過ぎず、図示された各部材の寸法は必ずしも現実のものを反映するものではない。また、各図において、同一の部材または同一の構成要素には同一の参照番号を付しており、以下、重複する内容については説明を省略する。
【０００９】
図１（Ａ）及び図１（Ｂ）は、実施形態に係るレコード盤１の斜視図である。レコード盤１は、第１面Ｓ１と、その反対側の面である第２面Ｓ２と、を有する。図１（Ａ）は、面Ｓ１側を示す斜視図であり、図１（Ｂ）は、面Ｓ２側を示す斜視図である。面Ｓ１には音溝Ｔが設けられる。音溝Ｔは、マイクログルーヴ（或いは単にグルーヴ）等とも称される音楽再生用の溝である。レコードプレイヤないし音楽再生機は、レコード盤１を回転させながらレコード針を音溝Ｔに沿わせることで、該針の音溝Ｔに起因する振動に基づいて音楽を再生する。
【００１０】
図１（Ｂ）から分かるように、面Ｓ２には音溝Ｔは設けられておらず、即ち、本実施形態においては、レコード盤１の面Ｓ１及びＳ２のうち面Ｓ１のみに音溝Ｔが設けられる。よって、レコード盤１の所持者等のユーザは、面Ｓ１を自由に利用可能となり、例えば、音楽家にサインを書いてもらったり、自筆で情報を書き加えたり、所望のデコレーションを加えたりすることができる。
【００１１】
音溝Ｔは面Ｓ１及びＳ２のうちの一方面のみに設けられればよく、それにより他方面が自由に利用可能となればよい。例えば、他の実施形態として、レコード盤１は、面Ｓ２のみに音溝Ｔを設け且つ面Ｓ１には音溝Ｔを設けないように構成されてもよい。以下の説明において、面Ｓ１は一方面Ｓ１と表現され、面Ｓ２は他方面Ｓ２と表現される。
【００１２】
音溝Ｔが設けられていない他方面Ｓ２はユーザにより自由に利用可能である。ここでいうユーザは、レコード盤１の製造者、販売者、購入者等、レコード盤１の所持者となりえた／なりうる者を指す。以下では、図２（Ａ）〜図２（Ｃ）を参照しながら、他方面Ｓ２の態様の幾つかの例について述べる。
【００１３】
図２（Ａ）〜図２（Ｃ）は、レコード盤１の断面模式図である。図２（Ａ）に例示されるように、他方面Ｓ２は平坦面１２を形成していてもよい。ここでいう平坦とは、一方面Ｓ１よりも平坦度が高いことを指し、不測の傷や汚れ等は不問とする。即ち、図２（Ａ）の例においては、他方面Ｓ２表面の凹凸は、少なくとも音溝Ｔが形成する凹凸よりも小さいものであればよい。このような態様によれば、ユーザは、他方面Ｓ２に、例えばシールを貼り付けること等、所望のデコレーションを自由に加えることが可能となる。
【００１４】
或いは、他方面Ｓ２には所定の表面処理が行われていてもよい。例えば、上記表面処理は、他方面Ｓ２は液滴を保持可能に加工されたものであってもよい。一例として、図２（Ｂ）に示されるように、他方面Ｓ２表面には略全域に亘って凹凸形状１２ａが設けられてもよく、液滴は凹部内に貯留されて乾燥することにより保持されうる。これにより、ユーザは、例えばサインペン等を用いて他方面Ｓ２に情報を書き加えることも可能となる。尚、上記表面処理の一例として、例えばブラスト加工等の表面研磨処理が行われてもよい。
【００１５】
上記表面処理は、他方面Ｓ２を印刷可能なものにするものを含む。これにより、ユーザは、例えばインクジェットプリンタ、レーザプリンタ等の公知のプリンタを用いて他方面Ｓ２に所定情報を印刷することが可能となる。この表面処理は、印刷された情報が消えにくくなればよく、その例としては、上記表面研磨処理の他、図２（Ｃ）に示されるように、親水性の他の膜１２ｂを形成するためのコーティング処理が挙げられる。
【００１６】
図３（Ａ）〜図３（Ｃ）は、レコード盤１の製造方法における一部の工程における態様を示す。レコード盤１は、公知の製造技術を用いて作製可能であり、主に、レコード盤１の原料（原料１ｍとする。）をスタンパプレスにより加熱しながら（例えば１８０℃程度）プレスすることにより作製されうる。原料１ｍには主に塩化ビニル等が用いられうる。
【００１７】
先ず、図３（Ａ）の工程では、上部スタンパ９１及び下部スタンパ９２を備えるプレス機９を準備し、上部スタンパ９１及び下部スタンパ９２の間に原料１ｍを設置する。上部スタンパ９１には、音溝Ｔを形成するためのパターン９１１が設けられており、下部スタンパ９２には、平坦面１２を形成するための支持台９２１が設けられている。図３（Ｂ）の工程では、上部スタンパ９１を図中矢印の方向に降下させて原料１ｍを加熱しながら（例えば１８０℃程度）プレスする。その後、プレスされた原料１ｍを冷却した後、図３（Ｃ）の工程では、上部スタンパ９１を上昇させる。このようにして、レコード盤１が得られる。このような製造方法によれば、一方面Ｓ１のみに音溝Ｔが形成され且つ他方面Ｓ２が平坦面１２となるレコード盤１が得られる。
【００１８】
他の製造方法として、付随的に、他方面Ｓ２には前述の表面処理が行われてもよい。例えば、表面研磨処理あるいはコーティング処理は、図３（Ｃ）の工程の後に他方面Ｓ２に対して行われてもよい。このとき、音溝Ｔを保護するため一方面Ｓ１を所定の保護膜で被覆してから表面処理を行い、その後、この保護膜を除去してもよい。
【００１９】
或いは、支持台９２１に所定の加工用パターンが設けられていてもよい。この場合、図３（Ｂ）の工程のプレスの際に、一方面Ｓ１に音溝Ｔが形成されると共に他方面Ｓ２に凹凸形状１２ａ等（図２（Ｂ）参照）の所定の形状が形成されることとなる。凹凸形状１２ａの場合、凹部底面には更に微細な凹凸が設けられていてもよいし、或いは、開口幅が底面の幅より小さくなるように凹部側壁にテーパーが設けられてもよく、これにより凹部内に液滴を適切に保持可能となりうる。
【００２０】
或いは、他方面Ｓ２には、その中央部から外周部（あるいは略全域）に亘ってレーベルが付されてもよい。例えば、図３（Ａ）の工程で原料１ｍと下部スタンパ９２との間にレーベルを配置した状態にし、その後、図３（Ｂ）の工程でプレスを行うことにより、他方面Ｓ２にレーベルが付される。他方面Ｓ２の中央部から外周部に亘ってレーベルを付すことで、他方面Ｓ２を目立たせることも可能となる。このレーベルには、音楽の内容を示す情報等が印字されていてもよいが、サインペン等を用いて情報を書き加えることが可能な余白が存在してもよい。尚、一方面Ｓ１にはレーベルを付す必要がないため、一方面Ｓ１の実質的に全部に音溝Ｔを形成可能となり、よって、再生可能な音楽の量を多くすることもできる。
【００２１】
以上、本実施形態によれば、レコード盤１は、一方面Ｓ１および他方面Ｓ２を有しており、それらのうちの一方（ここでは面Ｓ１）のみに音溝Ｔが設けられる。音溝Ｔが一方面Ｓ１のみに設けられているため、ユーザは、他方面Ｓ２を自由に利用可能となり、例えば、音楽家にサインを書いてもらったり、自筆で情報を書き加えたり、所望のデコレーションを加えたりすることができる。
【００２２】
以上、いくつかの好適な態様を例示したが、本考案はこれらの例に限られるものではなく、本考案の趣旨を逸脱しない範囲で、一部が変更され又は組み合わされてもよい。また、本明細書に記載された個々の用語は、本考案を説明する目的で用いられたものに過ぎず、本考案は、その用語の厳密な意味に限定されるものでないことは言うまでもなく、その均等物をも含みうる。
【符号の説明】
【００２３】
１：レコード盤、Ｓ１：第１面、Ｓ２：第２面、Ｔ：音溝。
【図１】
0003219397.tif 000003
【図２】
0003219397.tif 000004
【図３】
0003219397.tif 000005